(57)【要約】【課題】券面に電子透かし情報を容易に記録できると共に、複製物から電子透かし情報を推定されにくく且つ複製されにくい情報記録体を提供すること。【解決手段】情報記録体１は、基材１１と、基材１１の少なくとも一方の面に積層され、加熱された部分が変色すると共に、その変色した部分に赤外線の吸収機能が発現するサーマル層１３と、サーマル層１３において基材１１とは反対側の面の少なくとも一部に積層され、赤外線の吸収機能を有しない印刷層２０と、を備える。【選択図】図２
2019104216.tif 000002
【特許請求の範囲】
【請求項１】
基材と、
前記基材の少なくとも一方の面に積層され、加熱された部分が変色すると共に、その変色した部分に赤外線の吸収機能が発現するサーマル層と、
前記サーマル層において前記基材とは反対側の面の少なくとも一部に積層され、赤外線の吸収機能を有しない印刷層と、
を備える情報記録体。
【請求項２】
請求項１に記載の情報記録体であって、
前記サーマル層は、加熱により変色した部分に所定の情報パターンが記録されている情報記録体。
【請求項３】
請求項２に記載の情報記録体であって、
前記印刷層は、前記サーマル層の全面に積層されている情報記録体。
【請求項４】
請求項２に記載の情報記録体であって、
前記印刷層には、前記サーマル層に記録されている前記所定の情報パターンとは異なる情報パターンが記録されている情報記録体。
【請求項５】
請求項４に記載の情報記録体であって、
前記印刷層に記録されている前記情報パターンは、前記サーマル層に記録されている前記所定の情報パターンよりもパターン密度が高い情報記録体。
【請求項６】
所定の情報パターンが前記サーマル層に記録された請求項２から請求項５までのいずれか一項に記載の情報記録体の真贋を判定する情報記録体の真贋判定装置であって、
前記情報記録体の前記基材の前記サーマル層が設けられた側の面から発せられる赤外線を検出して、前記サーマル層に記録された前記所定の情報パターンを検査パターン画像として取得する赤外線カメラと、
真正の情報パターンである基準パターン画像を記憶する記憶部と、
前記赤外線カメラで取得された前記検査パターン画像と、前記記憶部に記憶されている前記基準パターン画像とを照合することにより、前記情報記録体の真贋を判定するパターン画像判定部と、
を備える情報記録体の真贋判定装置。
【発明の詳細な説明】
【技術分野】
【０００１】
本発明は、情報記録体及び情報記録体の真贋判定装置に関する。
【背景技術】
【０００２】
従来、画像等に特定の情報を埋め込む電子透かしの技術が知られている。この電子透かしの技術を印刷物に適用した場合、人間が視覚で認識できないレベルで各種の情報を印刷物に埋め込むことができるため、印刷物の美術的な効果を損なうことがない。また、印刷物に埋め込まれた情報は、専用の読取装置で読み取ることができる。
【０００３】
印刷物に埋め込まれた情報を真贋判定に用いる場合、複製物からは、埋め込まれた情報を推定されにくく、また複製されにくいことが望ましい。そのため、印刷物に埋め込まれた情報を推定且つ複製されにくくした情報記録体に関する技術が開示されている（例えば、特許文献１）。
【先行技術文献】
【特許文献】
【０００４】
【特許文献１】特開２０１６−９３８９５号公報
【発明の概要】
【発明が解決しようとする課題】
【０００５】
上述した特許文献１に記載の情報記録体は、電子透かし情報を構成する光輝層及び透明層をグラビア印刷等の印刷装置で印刷する。そのため、情報記録体を、例えば、鉄道のチケット（乗車券等）として用いる場合、券売機において、すべての券面にそれぞれ固有の電子透かし情報を記録する新たな印刷機を導入することは難しい。
【０００６】
本発明の目的は、券面に電子透かし情報を容易に記録できると共に、複製物から電子透かし情報を推定されにくく且つ複製されにくい情報記録体及び情報記録体の真贋判定装置を提供することにある。
【課題を解決するための手段】
【０００７】
第１の発明は、基材（１１）と、前記基材の少なくとも一方の面に積層され、加熱された部分が変色すると共に、その変色した部分に赤外線の吸収機能が発現するサーマル層（１３、１２）と、前記サーマル層において前記基材とは反対側の面の少なくとも一部に積層され、赤外線の吸収機能を有しない印刷層（２０、４０）と、を備える情報記録体（１、２）である。
【０００８】
第２の発明は、第１の発明の情報記録体であって、前記サーマル層は、加熱により変色した部分に所定の情報パターンが記録されている。
【０００９】
第３の発明は、第２の発明の記録媒体であって、前記印刷層（２０）は、前記サーマル層（１３）の全面に積層されている。
【００１０】
第４の発明は、第２の発明の情報記録体であって、前記印刷層（４０）には、前記サーマル層（１２）に記録されている前記所定の情報パターンとは異なる情報パターンが記録されている。
【００１１】
第５の発明は、請求項４に記載の情報記録体であって、前記印刷層に記録されている前記情報パターンは、前記サーマル層に記録されている前記所定の情報パターンよりもパターン密度が高い。
【００１２】
第６の発明は、所定の情報パターンが前記サーマル層に記録された第２から第５までのいずれかの発明の情報記録体の真贋を判定する情報記録体の真贋判定装置であって、前記情報記録体の前記基材の前記サーマル層が設けられた側の面から発せられる赤外線を検出して、前記サーマル層に記録された前記所定の情報パターンを検査パターン画像として取得する赤外線カメラ（１３０）と、真正の情報パターンである基準パターン画像を記憶する記憶部（１２０）と、前記赤外線カメラで取得された前記検査パターン画像と、前記記憶部に記憶されている前記基準パターン画像とを照合することにより、前記情報記録体の真贋を判定するパターン画像判定部（１１２）と、を備える情報記録体の真贋判定装置（１００）である。
【発明の効果】
【００１３】
本発明によれば、券面に電子透かし情報を容易に記録できると共に、複製物から電子透かし情報を推定されにくく且つ複製されにくい情報記録体及び情報記録体の真贋判定装置を提供できる。
【図面の簡単な説明】
【００１４】
【図１】第１実施形態に係るチケット１を説明する図である。
【図２】図１（Ａ）のａ−ａ線断面図である。
【図３】チケット１を真贋判定装置１００で読み取った場合に取得される画像を示す図である。
【図４】真贋判定装置１００の構成を示すブロック図である。
【図５】真贋判定装置１００の制御部１１０で実行される真贋判定プログラムの処理手順を示すフローチャートである。
【図６】第２実施形態に係るチケット２を説明する図である。
【図７】図６のｂ−ｂ線断面図である。
【図８】チケット２を構成する各部の平面図である。
【図９】チケット２を真贋判定装置１００で読み取った場合に取得される画像を示す図である。
【図１０】第２実施形態の他の構成における各部の平面図である。
【図１１】図１０のｃ−ｃ線断面図である。
【発明を実施するための形態】
【００１５】
以下、本発明の実施形態について説明する。なお、本明細書に添付した図面は、いずれも模式図であり、理解しやすさ等を考慮して、各部の形状、縮尺、縦横の寸法比等を、実物から変更又は誇張している。また、図面においては、部材の断面を示すハッチングを適宜に省略する。
本明細書等においては、チケット１を平面視したときの長手方向をＸ方向、短手方向をＹ方向、厚さ方向をＺ方向として説明する。Ｚ方向において、チケット１の表側をＺ１側、裏側をＺ２側とする。
【００１６】
（第１実施形態）
＜チケット１の構成＞
図１は、第１実施形態に係るチケット１を説明する図である。図１（Ａ）は、チケット１を表側から見たときの平面図である。図１（Ｂ）は、チケット１を裏側から見たときの平面図である。図２は、図１（Ａ）のａ−ａ線断面図である。
【００１７】
図１（Ａ）に示すチケット１（情報記録体）は、例えば、鉄道の乗車券、入場券等である。チケット１は、図２に示すように、台紙１０、印刷層２０及び図柄層３０を備える。
台紙１０は、チケット１の基礎となる部材である。台紙１０は、支持体１１（基材）と、第１サーマル層１２と、第２サーマル層１３と、を備える。支持体１１は、例えば、紙、不織布、樹脂シート、金属シート、或いは各種シート材を組み合わせた複合シートにより形成される。
【００１８】
第１サーマル層１２及び第２サーマル層１３（以下、単に「サーマル層」ともいう）は、加熱された部分が墨色に変色すると共に、その変色した部分に赤外線の吸収機能が発現する層である。図２に示すように、第１サーマル層１２は、支持体１１の表側（Ｚ１側）に形成される。第２サーマル層１３は、支持体１１の裏側（Ｚ２側）に形成される。
【００１９】
サーマル層は、台紙１０の表側及び裏側に、感熱記録材料を塗工、乾燥させることにより積層される。加熱により赤外線の吸収機能が発現するサーマル層としては、例えば、特開２００４−１６０８０５号公報、特開２００７−５０５７９号公報、特開２０１４−１５９１４２号公報等に記載された感熱記録材料を用いることができる。
【００２０】
券売機で発券される前のチケット１において、サーマル層には何も記録されていない。券売機には、サーマル層に何も記録されていない状態のチケット１が装填される。チケット１を発券する際に、券売機のサーマルプリンタ（不図示）を用いて、チケット１のサーマル層を選択的に加熱することにより、サーマル層に券面情報ＩＦ、電子透かしパターンＥＰ等（後述）が記録される。サーマルプリンタは、チケットの券面に券面情報等を記録するための印字装置として、一般的な券売機に設置されている装置である。
【００２１】
第１サーマル層１２には、図１（Ａ）に示すように、例えば、駅名等の券面情報ＩＦがサーマルプリンタにより記録される。
第２サーマル層１３には、図１（Ｂ）に示すように、電子透かしパターンＥＰがサーマルプリンタにより記録（サーマル印字）される。電子透かしパターンＥＰは、チケット１の発券場所、日付、時間、管理番号等のチケット情報を表す二値の情報パターンである。
【００２２】
第１サーマル層１２への券面情報ＩＦの記録及び第２サーマル層１３への電子透かしパターンＥＰの記録は、券売機（不図示）においてチケット１を発券する際に行われる。なお、本実施形態においては、説明を容易にするため、電子透かしパターンＥＰを規則的なドットパターンで示すが、これに限定されない。
【００２３】
印刷層２０は、赤外線の吸収機能を有しない層である。印刷層２０は、例えば、ＣＭＹ（Ｃｙａｎ−Ｍａｇｅｎｔａ−Ｙｅｌｌｏｗ）の混色インキにより形成される。本実施形態において、印刷層２０は、第２サーマル層１３において支持体１１と反対側の面の全面に形成されている。印刷層２０は、例えば、グラビア印刷により第２サーマル層１３のＺ２側の面に形成される。なお、印刷層２０は、カーボンブラックを含まないが、ＣＭＹの混色により、図１（Ｂ）に示すような墨色（濃い灰黒色）となる。印刷層２０は、カーボンブラックを含まないため、赤外線の吸収機能を有しない層となる。
【００２４】
本実施形態において、印刷層２０に電子透かしパターンＥＰは記録されない。チケット１は、第２サーマル層１３において支持体１１とは反対側の面の全面に印刷層２０が印刷された状態で券売機に装填される。そのため、券売機において、チケット１を発券する際に、印刷層２０を積層するためのオフセット印刷等は行われない。
【００２５】
図柄層３０は、チケット１の表側（Ｚ１側）に形成される層である。図柄層３０としては、例えば、地紋と呼ばれる図形、文字等からなるパターン模様（以下、「地紋パターンＰＡ」ともいう）が形成される。本実施形態の図柄層３０には、図１（Ａ）に示すように、縦横の短い線が格子状に配置された地紋パターンＰＡが形成されている。図柄層３０は、例えば、オフセット印刷により形成される。なお、チケット１は、図柄層３０が表側に印刷された状態で券売機に装填される。そのため、券売機において、チケット１を発券する際に、図柄層３０を積層するためのオフセット印刷等は行われない。なお、図柄層３０の形成は、上述したオフセット印刷に限らず、例えば、グラビア印刷、凹版印刷、シルクスクリーン印刷、インクジェットプリンタ、トナープリンタ、フレキソ印刷等を用いることができる。
【００２６】
＜チケット１の複製＞
次に、チケット１の情報パターンが記録された裏面が複製された場合について説明する。
図３は、チケット１の情報パターンが記録された裏面を真贋判定装置１００（後述）で読み取った場合に取得される画像を示す図である。図３（Ａ）は、真正のチケット１（真券）から取得される検査パターン画像ＥＸを示す図である。図３（Ｂ）は、複写機により複製されたチケット１Ｆ（偽券）から取得される検査パターン画像ＥＸを示す図である。
【００２７】
なお、真贋判定装置１００は、利用者が読取部１３０（後述）にかざしたチケット１に対して、チケット１の裏側（Ｚ２側）から赤外線を照射し、第２サーマル層１３から発せられる赤外線を赤外線カメラで検出する。これにより、真贋判定装置１００は、第２サーマル層１３に記録された電子透かしパターンＥＰを検査パターン画像ＥＸとして取得する。
【００２８】
チケット１（真券）の裏側に形成された印刷層２０は、赤外線の吸収機能を有しない層であるため、真贋判定装置１００において、チケット１の裏側（Ｚ２側）に赤外線を照射すると、印刷層２０は検出されず、図３（Ａ）に示すように、第２サーマル層１３に記録された電子透かしパターンＥＰが検査パターン画像ＥＸとして取得される。後述するように、真贋判定装置１００は、チケット１から取得された検査パターン画像ＥＸと、後述する記憶部１２０（パターン画像記憶部１２２）に記憶されている基準パターン画像ＳＴとを照合することにより、チケット１の真贋を判定する。
【００２９】
一方、チケット１（真券）の裏側の面を複写機により複製すると、チケット１の裏側の全面に形成された印刷層２０が画像として読み取られる。このとき、印刷層２０よりも内側の第２サーマル層１３に記録された電子透かしパターンＥＰは、印刷層２０に覆われた状態で複写される。そのため、チケット１を複写することにより複製されたチケット１Ｆ（偽券）の裏側は、図３（Ｂ）に示すように、全面がほぼ黒色となり、電子透かしパターンＥＰを推定されにくく且つ複製されにくくなる。したがって、真贋判定装置１００において、複製されたチケット１Ｆから読み取られる画像は、全面が黒（以下、「黒画像」ともいう）となり、電子透かしパターンＥＰのパターン画像が複写されることはない。チケット１の表面に情報パターンが記録されている場合も同様の効果が得られる。なお、本実施形態において、「検査パターン画像ＥＸ」とは、電子透かしパターンＥＰのパターン画像だけでなく、図３（Ｂ）に示すように、偽券から取得された黒画像を含むものとする。
【００３０】
＜真贋判定装置１００の構成＞
次に、チケット１から電子透かしパターンＥＰを読み取って、チケット１の真贋を判定する真贋判定装置１００について説明する。なお、以下の説明において、チケット１には、偽券であるチケット１Ｆも含まれるものとする。
図４は、真贋判定装置１００の構成を示すブロック図である。真贋判定装置１００は、例えば、駅等に設置された券売機に併設される。
図４に示すように、真贋判定装置１００は、制御部１１０、記憶部１２０、読取部１３０及びタッチパネルディスプレイ１４０を備える。
【００３１】
制御部１１０は、真贋判定装置１００の全体を制御するＣＰＵ（中央処理装置）である。制御部１１０は、記憶部１２０に記憶されているＯＳ（オペレーティングシステム）、アプリケーションプログラム（例えば、後述する真贋判定プログラム）を読み出して実行することにより、上述した読取部１３０等のハードウェアと協働して、各種機能を実行する。
【００３２】
制御部１１０は、画像受付部１１１、判定部１１２を備える。
画像受付部１１１は、読取部１３０（後述）で取得されたチケット１の検査パターン画像ＥＸを受け付ける。
判定部１１２は、読取部１３０で取得された検査パターン画像ＥＸと、記憶部１２０に記憶されている基準パターン画像ＳＴ（後述）とを照合することにより、読取部１３０にかざされたチケット１の真贋を判定する。後述するチケット１の真贋判定において、判定部１１２は、取得された検査パターン画像ＥＸが適正でない場合に、利用者が読取部１３０にかざしたチケット１を偽券と判定する。
【００３３】
記憶部１２０は、制御部１１０が各種の処理を実行するために必要なプログラム、データ等を記憶するハードディスク、半導体メモリ等を備えた記憶装置である。なお、コンピュータとは、制御部、記憶装置等を備えた情報処理装置をいう。真贋判定装置１００は、制御部１１０、記憶部１２０等を備えた情報処理装置であり、コンピュータの概念に含まれる。
【００３４】
記憶部１２０は、プログラム記憶部１２１及びパターン画像記憶部１２２を備える。プログラム記憶部１２１は、上述したＯＳ、アプリケーションプログラム等を記憶する記憶領域である。パターン画像記憶部１２２は、真正の電子透かしパターンＥＰのパターン画像を基準パターン画像ＳＴとして記憶する記憶領域である。
【００３５】
読取部１３０は、チケット１に記録された電子透かしパターンＥＰの読取装置であり、赤外線カメラにより構成される。利用者がチケット１の裏側（Ｚ２側）を、読取部１３０の読み取りエリア（不図示）にかざすことにより、電子透かしパターンＥＰの読み取りが開始される。読取部１３０は、チケット１の第２サーマル層１３が設けられた側の面に赤外線を照射して、第２サーマル層１３に記録された電子透かしパターンＥＰをパターン画像として取得する。
【００３６】
タッチパネルディスプレイ１４０は、液晶パネル等の表示部としての機能及び利用者の指等によるタッチ入力を検出する入力部としての機能を有する装置である。
なお、図示していないが、真贋判定装置１００は、上述した各部のほかに、例えば、通信インターフェースを備えている。通信インターフェースは、サーバ（不図示）との間で通信を行うためのインターフェース機器である。
【００３７】
＜真贋判定処理＞
次に、真贋判定装置１００で実行される真贋判定プログラムの処理内容を、図５に示すフローチャートに基づいて説明する。
図５は、真贋判定装置１００の制御部１１０で実行される真贋判定プログラムの処理手順を示すフローチャートである。
【００３８】
図５に示すステップＳ１０において、制御部１１０は、読取部１３０を起動させる。
ステップＳ１１において、制御部１１０（画像受付部１１１）は、利用者が読取部１３０にかざしたチケット１の第２サーマル層１３（図２参照）が設けられた側の面に赤外線を照射して、第２サーマル層１３に記録された電子透かしパターンＥＰを検査パターン画像ＥＸとして取得する。ステップＳ１１で取得された検査パターン画像ＥＸは、記憶部１２０の所定領域に一時的に記憶される。
【００３９】
ステップＳ１２において、制御部１１０（判定部１１２）は、記憶部１２０のパターン画像記憶部１２２に記憶されている基準パターン画像ＳＴを読み出す。
ステップＳ１３において、制御部１１０は、ステップＳ１１で取得された検査パターン画像ＥＸとステップＳ１２で取得した基準パターン画像ＳＴとを照合して、利用者が読取部１３０にかざしたチケット１の真贋を判定する。ここで、制御部１１０は、検査パターン画像ＥＸと基準パターン画像ＳＴとが一致する場合、チケット１を真券と判定する（ＹＥＳ）。また、制御部１１０は、検査パターン画像ＥＸと基準パターン画像ＳＴとが一致しない場合、チケット１を偽券と判定する（ＮＯ）。
【００４０】
ステップＳ１３において、制御部１１０により、チケット１が真券と判定された場合、処理は、ステップＳ１４へ移行する。一方、ステップＳ１３において、制御部１１０により、チケット１が偽券と判定された場合、処理は、ステップＳ１５へ移行する。
【００４１】
ステップＳ１４（ステップＳ１３：ＹＥＳ）において、制御部１１０は、チケット１が真券であることが確認されたメッセージ（真券確認メッセージ）を、タッチパネルディスプレイ１４０に表示させる。ステップＳ１４の後、制御部１１０は、本フローチャートの処理を終了する。なお、ステップＳ１４の後、制御部１１０は、チケット１が真券であることを、例えば、改札機（不図示）に通知する。これにより、改札機の扉が開状態となるか又は開状態が維持される。
【００４２】
ステップＳ１５（ステップＳ１３：ＮＯ）において、制御部１１０は、チケット１が偽券であることを知らせるエラーメッセージを、タッチパネルディスプレイ１４０に表示させる。ステップＳ１５の後、制御部１１０は、本フローチャートの処理を終了する。なお、ステップＳ１５の後、制御部１１０は、チケット１が偽券（チケット１Ｆ）であることを、例えば、改札機に通知する。これにより、改札機の扉は閉状態となるか又は閉状態が維持される。なお、電子透かしパターンＥＰは画像に限らず、例えば、コード（英数字等）であってもよい。その場合、チケットから読み取ったコードと正規のコードとを照合することにより、チケットの真贋を判定できる。
【００４３】
上述した第１実施形態のチケット１においては、電子透かしパターンＥＰをサーマルプリンタで記録できる。そのため、チケット１は、従来の一般的な券売機に設置されているサーマルプリンタを用いて、券面に電子透かしパターンＥＰを容易に記録できる。すなわち、第１実施形態のチケット１は、従来の一般的な券売機を使用しても発券できる。また、チケット１において、電子透かしパターンＥＰが記録された裏側（Ｚ２側）を複写機により複製しても、複写機では、印刷層２０の墨色と第２サーマル層１３のサーマル印字により変色した墨色の部分との閾値差（階調差）を感知できない。そのため、複写物は、全面が黒色となり、電子透かしパターンを推定されにくく且つ複製されにくくなる。したがって、複製したチケット１Ｆの不正利用を効果的に抑制できる。
【００４４】
第１実施形態のチケット１は、印刷層２０（図２参照）がＣＭＹの混色インキにより形成されるため、裏側がカーボンブラックを含まない墨色となる。これによれば、チケット１の裏側は、一般的な黒色の磁気面とほぼ同じ色合いになるため、利用者に違和感を与えにくい。
第１実施形態のチケット１は、裏側に磁気データの記録面となる磁性層を形成する必要がないため、コストを低減できる。
【００４５】
第１実施形態のチケット１は、第２サーマル層１３のＺ２側に印刷層２０が積層されるため、チケット１の裏側（Ｚ２側）の耐候性を向上させることができる。
第１実施形態のチケット１は、裏側（Ｚ２側）を読取部１３０の読み取りエリアにかざすことにより、電子透かしパターンＥＰが読み取られる。このように、第１実施形態のチケット１は、裏側に磁気データの記録面を有する従来式のチケットと同じ操作で読み取りができるので、利便性に優れている。また、第１実施形態のチケット１は、表側（Ｚ１側）に図柄層３０（地紋パターンＰＡ）が形成されているため、チケット１の意匠性をより向上させることができる。
第１実施形態のチケット１は、裏側（Ｚ２側）の全面に電子透かしパターンＥＰが記録されているため、裏側のどの部分からでも電子透かしパターンＥＰを読み取ることができる。
【００４６】
（第２実施形態）
＜チケット２の構成＞
図６は、第２実施形態に係るチケット２を説明する図である。図６は、チケット２を表側から見たときの平面図である。図７は、図６のｂ−ｂ線断面図である。図８は、チケット２を構成する各部の平面図である。図８（Ａ）は、印刷層４０の平面図である。図８（Ｂ）は、図柄層３０の平面図である。図８（Ｃ）は、第１サーマル層１２の平面図である。
【００４７】
第２実施形態のチケット２は、支持体１１の表側（Ｚ１側）に２つの電子透かしパターン（ＥＰ１、ＥＰ２）を備える点が第１実施形態と相違する。第２実施形態のチケット２において、その他の構成は、第１実施形態と同じである。そのため、第２実施形態の説明及び図面において、第１実施形態と同等の部材等には、第１実施形態と同一の符号を付し、重複する説明を省略する。
第２実施形態のチケット２は、図６に示すように、チケット２の表側（Ｚ１側）に、券面情報ＩＦ、第１電子透かしパターンＥＰ１、第２電子透かしパターンＥＰ２及び地紋パターンＰＡが視認される。
【００４８】
チケット２は、図７に示すように、図柄層３０のＺ１側の面に、印刷層４０が形成されている。印刷層４０は、赤外線の吸収機能を有しない層であり、ＣＭＹの混色インキにより形成されている。印刷層４０には、図８（Ａ）に示すように、第１電子透かしパターンＥＰ１が記録されている。第１電子透かしパターンＥＰ１は、真正の電子透かしパターンではない偽の情報パターンである。第１電子透かしパターンＥＰ１は、印刷層４０に形成されているため、赤外線の吸収機能を有しない。なお、チケット２は、印刷層４０に第１電子透かしパターンＥＰ１が記録された状態で券売機に装填される。そのため、券売機において、チケット２を発券する際に。印刷層４０を形成するためのオフセット印刷等は行われない。
【００４９】
チケット２の図柄層３０には、図８（Ｂ）に示すように、縦横の短い線が格子状に配置されたパターン模様である地紋パターンＰＡが形成されている。第２実施形態において、図柄層３０は、印刷層４０と後述する第１サーマル層１２との間に形成されている。なお、図柄層３０は、印刷層４０において支持体１１と反対側（Ｚ１側）の面に形成されていてもよい。
【００５０】
チケット２の第１サーマル層１２には、図８（Ｃ）に示すように、券面情報ＩＦ及び第２電子透かしパターンＥＰ２がサーマルプリンタにより記録されている。第２電子透かしパターンＥＰ２は、真正の電子透かしパターンである。第２電子透かしパターンＥＰ２は、チケット２の発券場所、日付、時間、管理番号等のチケット情報を表す二値の情報パターンである。第１サーマル層１２への券面情報ＩＦの記録及び第２電子透かしパターンＥＰ２の記録は、券売機（不図示）においてチケット２を発券する際に行われる。
【００５１】
＜チケット２の複製＞
次に、チケット２が複製された場合について説明する。
図９は、チケット２を真贋判定装置１００（図４参照）で読み取った場合に取得される画像を示す図である。図９（Ａ）は、真正のチケット２（真券）から取得される検査パターン画像ＥＸを示す図である。図９（Ｂ）は、複写機により複製されたチケット２Ｆ（偽券）から取得される検査パターン画像ＥＸを示す図である。
【００５２】
なお、本実施形態において、利用者は、チケット２の表側（Ｚ１側）を真贋判定装置１００の読取部１３０にかざす。そのため、読取部１３０において、赤外線は、チケット２の表側に向けて照射される。
【００５３】
チケット２（真券）において、表側に形成された印刷層４０は、赤外線の吸収機能を有しない層であるため、真贋判定装置１００において、チケット１の表側（Ｚ１側）に赤外線を照射しても、印刷層４０の第１電子透かしパターンＥＰ１は検出されず、図９（Ａ）に示すように、第１サーマル層１２に記録された第２電子透かしパターンＥＰ２のみが検査パターン画像ＥＸとして取得される。真贋判定装置１００は、チケット２から取得された検査パターン画像ＥＸと、記憶部１２０に記憶されている基準パターン画像ＳＴとを照合することにより、チケット１の真贋を判定する。なお、読取部１３０においては、第２電子透かしパターンＥＰ２と共に券面情報ＩＦも検出されるが、券面情報ＩＦは、画像受付部１１１において除かれ、第２電子透かしパターンＥＰ２のみが検査パターン画像ＥＸとして取得される。
【００５４】
一方、チケット２（真券）の表側を複写機により複製すると、チケット２の支持体１１から見て表側（Ｚ１側）に形成された第１電子透かしパターンＥＰ１、第２電子透かしパターンＥＰ２及び券面情報ＩＦが読み取られる。そのため、チケット２を複写することにより複製されたチケット２Ｆ（偽券）の表側は、図９（Ｂ）に示すように、第１電子透かしパターンＥＰ１、第２電子透かしパターンＥＰ２及び券面情報ＩＦのすべてが画像として出現するので、真正の電子透かしパターンである第２電子透かしパターンＥＰ２を推定されにくく且つ複製されにくくなる。また、チケット２を複製したとしても、真贋判定装置１００の読取部１３０（図４参照）で読み取ると、複製したチケット２Ｆの検査パターン画像ＥＸには、偽の第１電子透かしパターンＥＰ１と真正の第２電子透かしパターンＥＰ２とが混在して映り込むことになる。これにより、図５に示す真贋判定処理のステップＳ１３において、検査パターン画像ＥＸと基準パターン画像ＳＴとが一致しなくなるため、複製のチケット２Ｆは、偽券と判定される。したがって、複製したチケット２Ｆの不正利用を効果的に抑制できる。
【００５５】
上述した第２実施形態のチケット２においては、真正の第２電子透かしパターンＥＰ２をサーマルプリンタで記録できる。そのため、チケット２は、従来の一般的な券売機に設置されているサーマルプリンタを用いて、券面に真正の第２電子透かしパターンＥＰ２を容易に記録できる。すなわち、第２実施形態のチケット２は、従来の一般的な券売機を使用しても発券できる。
【００５６】
第２実施形態のチケット２において、第２電子透かしパターンＥＰ２が記録された表側（Ｚ１側）を複写機により複製すると、複製されたチケット２Ｆ（偽券）の表側には、偽の電子透かしパターンである第１電子透かしパターンＥＰ１と第２電子透かしパターンＥＰ２とが混在するため、真正の第２電子透かしパターンＥＰ２を推定しにくくなる。また、第２実施形態のチケット２は、第１サーマル層１２と印刷層４０との間に図柄層３０（地紋パターンＰＡ）が形成されているため、チケット２の意匠性をより向上させることができる。
【００５７】
第２実施形態のチケット２において、２つの電子透かしパターンを異なる濃度としてもよい。
図１０は、第２実施形態の他の構成における各部の平面図である。図１０（Ａ）は、印刷層４０の平面図である。図１０（Ｂ）は、第１サーマル層１２の平面図である。図１０（Ｃ）は、複製されたチケット２Ｆ（偽券）から取得された検査パターン画像ＥＸを示す図である。図１１は、図１０のｃ−ｃ線断面図である。
【００５８】
本構成のチケット２は、図１０（Ａ）に示す印刷層４０に記録されている第１電子透かしパターンＥＰ１のパターン密度を、図１０（Ｂ）に示す第１サーマル層１２に記録されている第２電子透かしパターンＥＰ２のパターン密度よりも高くしている。
【００５９】
すなわち、図１１に示すように、印刷層４０には、偽の電子透かしパターンであって、パターン密度が高い第１電子透かしパターンＥＰ１が記録されている。また、第１サーマル層１２には、真正の電子透かしパターンであって、パターン密度が第１電子透かしパターンＥＰ１よりも相対的に低い第２電子透かしパターンＥＰ２が記録されている。なお、図１１では、上記２層におけるパターン密度の差を分かり易くするために、２層の間に設けられた図柄層３０をドットで示している。
【００６０】
本構成のチケット２から複製されたチケット２Ｆ（偽券）を、赤外線カメラで読み取ることにより取得される検査パターン画像ＥＸは、図１０（Ｃ）に示すように、偽の電子透かしパターンである第１電子透かしパターンＥＰ１が、真正の電子透かしパターンである第２電子透かしパターンＥＰ２よりも多く映り込んだパターン画像となる。そのため、本構成によるチケット２は、真正の第２電子透かしパターンＥＰ２を推定しにくく且つ複製されにくくなる。
【００６１】
なお、上述した第２実施形態の他の構成においては、偽の電子透かしパターンである第１電子透かしパターンＥＰ１のパターン密度を真正の第２電子透かしパターンＥＰ２のパターン密度よりも高く（ＥＰ１＞ＥＰ２）した例について説明したが、これに限らず、第１電子透かしパターンＥＰ１のパターン密度と第２電子透かしパターンＥＰ２のパターン密度は、逆（ＥＰ１＜ＥＰ２）であってもよい。
【００６２】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００６３】
（変形形態）
第１実施形態のチケット１において、第２サーマル層１３及び印刷層２０を、支持体１１の表側（Ｚ１側）に形成してもよい。その場合、印刷層２０を全面に形成すると券面が見えなくなるため、印刷層２０は、例えば、台紙１０の長手方向（Ｙ方向）又は短手方向（Ｘ方向）の一方の端部に帯状に形成する。また、電子透かしパターンＥＰが記録される第２サーマル層１３は、少なくとも一部が印刷層２０により覆われるように形成されていればよい。
【００６４】
第２実施形態のチケット２において、第１電子透かしパターンＥＰ１が記録される印刷層４０及び第２電子透かしパターンＥＰ２が記録される第１サーマル層１２を、支持体１１の表側（Ｚ１側）に部分的に形成してもよい。例えば、台紙１０の長手方向（Ｙ方向）又は短手方向（Ｘ方向）の一方の端部に帯状に形成してもよい。
【００６５】
第２実施形態のチケット２において、第１電子透かしパターンＥＰ１及び第２電子透かしパターンＥＰ２は、支持体１１の裏側（Ｚ２側）に形成されていてもよい。
第２実施形態のチケット２において、第２サーマル層１３（図７参照）の代わりに、磁気データの記録面を形成してもよい。その場合、赤外線カメラ（読取部１３０）を備えた改札機だけでなく、従来の磁気読み取り式の改札機にも対応させることができる。また、支持体１１の裏側（Ｚ２側）に第２サーマル層１３を設けない構成としてもよい。
【００６６】
本発明に係る情報記録体において、印刷層、サーマル層への印刷又は印字は、各種の方式を用いることができる。例えば、熱転写リボン、インクジェットプリンタ、トナープリンタ、オフセット印刷、グラビア印刷、凹版印刷、シルクスクリーン印刷、フレキソ印刷等を用いることができる。また、印刷層、サーマル層の印刷方式又は印字方式は、同じであってもよいし、異なっていてもよい。例えば、第２実施形態において、偽の電子透かしパターンである第１電子透かしパターンＥＰ１を赤外線非吸収インキにて印刷し、真正の電子透かしパターンである第２電子透かしパターンＥＰ２を、台紙となる上質紙に黒リボンの転写により印字してもよい。黒リボンによる転写は、上質紙の上に黒リボンが配置され、その上からサーマルヘッドで熱をかける方式である。この方式で黒リボンが転写された部分は、赤外線の吸収能力を発現する。
【００６７】
本発明に係る情報記録体において、赤外線の吸収機能を有する黒色の転写リボンを発券機に設置しておき、電子透かしパターンを、転写方式で支持体（台紙）に印字するようにしてもよい。このような形態とした場合、台紙にサーマル層を形成しなくてもよい。
本発明に係る情報記録体は、鉄道等の乗り物のチケットに限らず、社員証等として用いられるＩＤ証であってもよいし、ゲームで使用するカード媒体であってもよい。また、カード媒体だけでなく、チケット等の、それ自体に金銭的な価値を有していて、複製品は金銭的な価値を持たない紙媒体等の印刷物であってもよいし、セキュリティ保護のためのラベル等であってもよい。
【符号の説明】
【００６８】
１，１Ｆ，２，２Ｆ：チケット、１０：台紙、１１：支持体、１２：第１サーマル層、１３：第２サーマル層、２０，４０：印刷層、３０：図柄層、１００：真贋判定装置、１１０：制御部、１１１：画像取得部、１１２：判定部、１２０：記憶部、１３０：読取部
【図１】
2019104216.tif 000003
【図２】
2019104216.tif 000004
【図３】
2019104216.tif 000005
【図４】
2019104216.tif 000006
【図５】
2019104216.tif 000007
【図６】
2019104216.tif 000008
【図７】
2019104216.tif 000009
【図８】
2019104216.tif 000010
【図９】
2019104216.tif 000011
【図１０】
2019104216.tif 000012
【図１１】
2019104216.tif 000013